(57)【要約】【課題】本発明は、容易、かつ短時間でオス端子の先端部の形状が適正な形状となるように調整を行うことが可能な端子形状調整用冶具を提供することを目的とする。【解決手段】断面形状が円であり、先端に向かうにつれて円の直径が小さくなるように構成され、端子の先端部内へ挿入させることで該端子の先端部を拡径させる挿入部１７と、端子内に挿入部１７が所定の長さ挿入されたときに、端子の先端と接触する第１のストッパー部１６と、を含む第１の端子調整部１１と、凹部形成用柱状部材２１と、Ｚ方向に延在し、断面形状が円であり、端子の先端部の適正な形状に対応する凹部２３と、凹部２３内に端子が所定の長さ挿入されたときに、端子の先端と接触する第２のストッパー部２５と、を含む第２の端子調整部１２と、を有する。【選択図】図１
2015215234.tif 000002
【特許請求の範囲】
【請求項１】
円筒形状とされ、先端部に径を拡径及び縮径可能な複数のスリットを有する端子の前記先端部の形状を調整する端子形状調整用治具であって、
所定の方向に延在し、該所定の方向に対して垂直な面で切断した際の断面形状が円であり、かつ先端に向かうにつれて前記円の直径が小さくなるように構成され、前記端子の先端部内へ挿入させることで該端子の先端部を拡径させる挿入部と、
前記端子内に前記挿入部が所定の長さ挿入されたときに、前記端子の先端と接触する第１のストッパー部と、
を含む第１の端子調整部と、
前記所定の方向に延在する凹部形成用柱状部材と、
前記所定の方向において該凹部形成用柱状部材の先端側から後端側に延在するように配置され、所定の方向に対して垂直な面で切断した際の断面形状が円であり、前記端子の先端部の適正な形状に対応する凹部と、
前記凹部内に前記端子が所定の長さ挿入されたときに、前記端子の先端と接触する第２のストッパー部と、
を含む第２の端子調整部と、
を有することを特徴とする端子形状調整用冶具。
【請求項２】
前記第１の端子調整部は、前記第１のストッパー部が配置される先端部、及び打撃に対する耐性を有する後端部を有する柱状部材を含み、
前記挿入部は、前記柱状部材の延在方向と同じ方向に、前記第１のストッパー部から突出するように配置することを特徴とする請求項１記載の端子形状調整用冶具。
【請求項３】
前記挿入部は、円錐形状とされた先端部と、
前記第１のストッパー部に配置された円錐台形状とされた基端部と、
前記先端部の後端面と同じ直径とされた先端面、及び前記基端部の先端面と同じ直径とされた後端面を有し、前記先端部と前記基端部との間に配置された円錐台形状とされたゲージ部と、
を有し、
前記所定の方向に対して直交する面で切断した際の前記ゲージ部の円の直径の範囲は、前記端子の先端部の内径の適正な範囲と一致することを特徴とする請求項１または２記載の端子形状調整用冶具。
【請求項４】
前記凹部形成用柱状部材は、打撃に対する耐性を有する後端部を含むことを特徴とする請求項１ないし３のうち、いずれか１項記載の端子形状調整用冶具。
【請求項５】
前記凹部は、前記凹部形成用柱状部材の先端側に配置され、前記端子の先端部が挿入される挿入口を含み、かつ前記凹部形成用柱状部材の先端から前記第２のストッパー部側に向かうにつれて、直径が小さくなる円錐台形状とされた端子ガイド部と、
前記第２のストッパー部を露出するように配置され、前記端子の先端部を縮径する端子縮径部と、
前記端子ガイド部と前記端子縮径部との間に配置され、直径が前記端子の先端部の外径の適正な値と一致するように構成され、かつ前記端子縮径部に前記端子の先端部を導くゲージ部と、
を有することを特徴とする請求項１ないし４のうち、いずれか1項記載の端子形状調整用冶具。
【請求項６】
前記挿入部、及び前記第１のストッパー部を着脱可能な状態で前記第１の端子調整部が装着される装着用凹部、前記凹部に挿入される凸部、及び前記凸部に対して、前記凹部形成用柱状部材の先端を押さえこむ押さえ部を含む装着用部材を有することを特徴とする請求項１ないし５のうち、いずれか1項記載の端子形状調整用冶具。
【発明の詳細な説明】
【技術分野】
【０００１】
本発明は、大電流用の電源プラグのオス端子の先端部の形状を調整する際に使用する端子形状調整用冶具に関する。
【背景技術】
【０００２】
一般的に、ケーブルとケーブルとを接続して電源電力を継電する場合、一方のケーブルの終端にプラグ（オス）を設け、他方のケーブルの終端にコネクタ（メス）を設け、プラグとコネクタとを結合させることが行われている。
通常、継電する電源が単相の場合、プラグとしては、凸状のオス端子が２つ設けられ、コネクタとしては、オス端子が差し込まれる凹状のメス端子が２つ設けられる。
【０００３】
図９は、電源三相の場合に使用される大電流用のプラグの概略構成を示す斜視図である。図１０は、電源三相の場合に使用される大電流用のコネクタの概略構成を示す正面図である。
【０００４】
図９を参照するに、電源が三相の場合、プラグ２００は、先端孔２０２が設けられた３つのオス端子２０１と、プラグ本体２０３と、を有する。オス端子２０１は、円筒形状とされている。
図１０を参照するに、電源が三相の場合、コネクタ２１０は、図９に示すオス端子２０１が挿入される３つのメス端子２１１を有する。
なお、ケーブルが接地型の場合、配線の１本を接地（アース）させる。この場合、プラグのオス端子、及びコネクタのメス端子は、１つずつ余分に設けられる。
【０００５】
ところで、大電流の電源電力を継電する場合、オス端子とメス端子との接触が弱いと放電が発生し、オス端子とメス端子との間の溶着や電気盤内での火災等が発生する恐れがあった。そのため、最近では、オス端子とメス端子とをより強く密着させるために、接触端子が用いられている。
【０００６】
特許文献１には、オス端子の先端がスリットを有する円筒形であり、受け側のメス端子に差し込まれるとオス端子の先端が中心側に閉じるように変形し、オス端子の先端が中心から放射状に広がる力を有することで、メス端子の内側に配置された導体とオス端子の先端とを弾性力により強く密着させる接触端子が開示されている。
【先行技術文献】
【特許文献】
【０００７】
【特許文献１】特開２０１２−３２１６２号公報
【発明の概要】
【発明が解決しようとする課題】
【０００８】
特許文献１に開示された接触端子では、オス端子がメス端子の内側の導電面とできるだけ広い接触面積で均等に接触することが好ましい。
このため、特許文献１に開示された構成を用いる場合、オス端子の先端の形状が非常に重要となる。例えば、メス端子に挿入する前の段階でオス端子の先端が外側に開きすぎた状態であると、オス端子をメス端子内にスムーズに挿入することが困難となると共に、オス端子をメス端子に挿入する際にオス端子がメス端子の壁面に不必要に触れて、オス端子の先端部の形状が変形する恐れがある。
【０００９】
一方、メス端子に挿入する前の段階でオス端子の先端部が内側（中心側）に閉じすぎた状態であると、オス端子とメス端子との接触が不十分となるため、放電が発生したり、オス端子がメス端子から外れてしまったりする恐れがある。
【００１０】
従来、オス端子の先端部の形状を拡径させる場合には、ドライバー等の細長い金属を用いて、オス端子の先端の形状の調整を行っていた。
また、オス端子の先端部の形状を縮径させる場合には、ペンチ等を用いて、オス端子の先端部の形状の調整を行っていた。
【００１１】
しかしながら、望ましい先端形状となるように調整を行うためには、高い技術が必要であり、オス端子の先端部の形状を安定して適した形状に調整することは難しい。
つまり、従来の手法では、容易、かつ短時間でオス端子の先端部の形状の調整を行うことが困難であった。
【００１２】
そこで、本発明は、容易、かつ短時間でオス端子の先端部の形状が適正な形状となるように調整を行うことが可能な端子形状調整用冶具を提供することを目的とする。
【課題を解決するための手段】
【００１３】
上記課題を解決するため、請求項１に係る発明によれば、円筒形状とされ、先端部に径を拡径及び縮径可能な複数のスリットを有する端子の前記先端部の形状を調整する端子形状調整用治具であって、所定の方向に延在し、該所定の方向に対して垂直な面で切断した際の断面形状が円であり、かつ先端に向かうにつれて前記円の直径が小さくなるように構成され、前記端子の先端部内へ挿入させることで該端子の先端部を拡径させる挿入部と、前記端子内に前記挿入部が所定の長さ挿入されたときに、前記端子の先端と接触する第１のストッパー部と、を含む第１の端子調整部と、前記所定の方向に延在する凹部形成用柱状部材と、前記所定の方向において該凹部形成用柱状部材の先端側から後端側に延在するように配置され、所定の方向に対して垂直な面で切断した際の断面形状が円であり、前記端子の先端部の適正な形状に対応する凹部と、前記凹部内に前記端子が所定の長さ挿入されたときに、前記端子の先端と接触する第２のストッパー部と、を含む第２の端子調整部と、を有することを特徴とする端子形状調整用冶具が提供される。
【００１４】
また、請求項２に係る発明によれば、前記第１の端子調整部は、前記第１のストッパー部が配置される先端部、及び打撃に対する耐性を有する後端部を有する柱状部材を含み、前記挿入部は、前記柱状部材の延在方向と同じ方向に、前記第１のストッパー部から突出するように配置することを特徴とする請求項１記載の端子形状調整用冶具が提供される。
【００１５】
また、請求項３に係る発明によれば、前記挿入部は、円錐形状とされた先端部と、前記第１のストッパー部に配置された円錐台形状とされた基端部と、前記先端部の後端面と同じ直径とされた先端面、及び前記基端部の先端面と同じ直径とされた後端面を有し、前記先端部と前記基端部との間に配置された円錐台形状とされたゲージ部と、を有し、前記所定の方向に対して直交する面で切断した際の前記ゲージ部の円の直径の範囲は、前記端子の先端部の内径の適正な範囲と一致することを特徴とする請求項１または２記載の端子形状調整用冶具が提供される。
【００１６】
また、請求項４に係る発明によれば、前記凹部形成用柱状部材は、打撃に対する耐性を有する後端部を含むことを特徴とする請求項１ないし３のうち、いずれか１項記載の端子形状調整用冶具が提供される。
【００１７】
また、請求項５に係る発明によれば、前記凹部は、前記凹部形成用柱状部材の先端側に配置され、前記端子の先端部が挿入される挿入口を含み、かつ前記凹部形成用柱状部材の先端から前記第２のストッパー部側に向かうにつれて、直径が小さくなる円錐台形状とされた端子ガイド部と、前記第２のストッパー部を露出するように配置され、前記端子の先端部を縮径する端子縮径部と、前記端子ガイド部と前記端子縮径部との間に配置され、直径が前記端子の先端部の外径の適正な値と一致するように構成され、かつ前記端子縮径部に前記端子の先端部を導くゲージ部と、を有することを特徴とする請求項１ないし４のうち、いずれか1項記載の端子形状調整用冶具が提供される。
【００１８】
また、請求項６に係る発明によれば、前記挿入部、及び前記第１のストッパー部を着脱可能な状態で前記第１の端子調整部が装着される装着用凹部、前記凹部に挿入される凸部、及び前記凸部に対して、前記凹部形成用柱状部材の先端を押さえこむ押さえ部を含む装着用部材を有することを特徴とする請求項１ないし５のうち、いずれか1項記載の端子形状調整用冶具が提供される。
【発明の効果】
【００１９】
本発明の端子形状調整用冶具によれば、容易、かつ短時間でオス端子の先端部の形状が適正な形状となるように調整できる。
【図面の簡単な説明】
【００２０】
【図１】本発明の実施の形態に係る端子形状調整用冶具の側面図である。
【図２】本実施の形態に係る端子形状調整用冶具が調整するオス端子を有するプラグの主要部の一例を示す側面図である。
【図３】図１に示す第１の端子調整部の上面図である。
【図４】適正な形状とされたオス端子の先端部内に、第１の端子調整部を構成する挿入部を挿入させた状態を模式的に示す図である。
【図５】図１に示す第２の端子調整部の上面図である。
【図６】図５に示す第２の端子調整部のＡ−Ａ線方向の断面図である。
【図７】適正な形状とされたオス端子の先端部を、第２の端子調整部を構成する凹部内に挿入させた状態を模式的に示す図である。
【図８】本実施の形態の変形例に係る端子形状調整用冶具の概略構成を示す断面図である。
【図９】電源三相の場合に使用される大電流用のプラグの概略構成を示す斜視図である。
【図１０】電源三相の場合に使用される大電流用のコネクタの概略構成を示す正面図である。
【発明を実施するための形態】
【００２１】
以下、図面を参照して本発明を適用した実施の形態について詳細に説明する。なお、以下の説明で用いる図面は、本発明の実施形態の構成を説明するためのものであり、図示される各部の大きさや厚さや寸法等は、実際の端子形状調整用冶具の寸法関係とは異なる場合がある。
【００２２】
（実施の形態）
図１は、本発明の実施の形態に係る端子形状調整用冶具の側面図である。図１において、Ｚ方向は、後述する挿入部１７の延在方向（所定の方向）を示している。また、図１では、Ｚ方向は、後述する凹部２３の延在方向（所定の方向）でもある。図１において、Ｘ方向は、Ｚ方向に対して直交する方向を示している。
【００２３】
図２は、本実施の形態に係る端子形状調整用冶具が調整するオス端子を有するプラグの主要部の一例を示す側面図である。図２において、Ｚ方向は、オス端子３２の突出方向（延在方向）を示しており、Ｘ方向は、Ｚ方向に対して直交する方向を示している。
【００２４】
図１を参照するに、本実施の形態の端子形状調整用冶具１０は、第１の端子調整部１１と、第２の端子調整部１２と、を有する。第１及び第２の端子調整部１１，１２は、図２に示すプラグ３０を構成するオス端子３２の先端部３２Ａを拡径または縮径する際に使用される冶具である。第１及び第２の端子調整部１１，１２は、別体とされている
【００２５】
ここで、図２を参照して、プラグ３０の構成について説明する。
プラグ３０は、プラグ本体３１と、オス端子３２と、を有する。オス端子３２は、筒状（例えば、円筒形状）とされた端子である。オス端子３２は、プラグ本体３１の一面３１ａからＺ方向に延在している。オス端子３２の先端部３２Ａは、Ｚ方向に延在する複数のスリット３４が設けられている。これにより、オス端子３２の先端部３２Ａは、拡径及び縮径可能な構造とされている。オス端子３２の先端部３２Ａには、図示していない先端孔が配置されている。
【００２６】
図３は、図１に示す第１の端子調整部の上面図である。図３において、図１に示す構造体と同一構成部分には、同一符号を付す。
【００２７】
次に、図１〜図３を参照して、第１の端子調整部１１を説明する。
第１の端子調整部１１（例えば、ポンチ）は、柱状部材１４と、第１のストッパー部１６と、挿入部１７と、を有する。
柱状部材１４は、Ｚ方向に延在する部材である。柱状部材１４は、第１のストッパー部１６が配置される先端部１４Ａと、オス端子３２の先端孔に挿入部１７を挿入して、オス端子３２の先端部を拡径させる際、ハンマー等の道具で打撃される後端部１４Ｂと、を有する。
【００２８】
先端部１４Ａを構成する先端面１４ａは、例えば、平坦な面にすることができる。
後端部１４Ｂは、打撃に対する耐性を有する構成とされている。後端部１４Ｂを構成する後端面１４ｂ（ハンマー等の道具で打撃される面）は、例えば、平坦な面にすることができる。
なお、後端部１４Ｂは、面取りされた形状（角部をラウンドさせた形状）としてもよい。このような形状とすることで、後端部１４Ｂの縁にハンマー等の道具が当たった際、後端部１４Ｂの縁が欠けること（破損すること）を抑制できる。
【００２９】
柱状部材１４は、オス端子３２の先端部３２Ａ内に挿入部１７を挿入させた状態で、後端部１４Ｂをハンマー等の道具を用いて打撃する際、もう片方の手（打撃する道具を持っていない方の手）で保持される。
柱状部材１４の形状は、例えば、円柱形状とすることができるが、これに限定されない。柱状部材１４の形状は、例えば、手で支えやすいように角柱形状にしてもよい。また、柱状部材１４の表面に、滑り止めの加工をしてもよい。
【００３０】
なお、オス端子３２の先端部３２Ａの形状の調整後に、オス端子３２内から第１の端子調整部１１を引き抜きやすくするために、Ｘ方向に対して細い棒（図示せず）を差し込むことの可能な貫通穴（図示せず）を柱状部材１４に設けてもよい。
【００３１】
第１のストッパー部１６は、円柱形状とされた部材であり、柱状部材１４の先端面１４ａに設けられている。
第１のストッパー部１６は、オス端子３２内に挿入部１７が所定の長さ挿入されたときに、オス端子３２の先端３２ａと接触する部分である。第１のストッパー部１６は、オス端子３２内に挿入部１７を挿入させた際、挿入部１７の先端がプラグ本体３１と接触しないように設けるとよい。
【００３２】
このように、オス端子３２内に挿入部１７を挿入させた際、挿入部１７の先端がプラグ本体３１と接触しないような位置に第１のストッパー部１６を設けることで、挿入部１７とプラグ本体３１とが衝突して、挿入部１７及びプラグ本体３１が破損することを抑制できる。
【００３３】
第１のストッパー部１６は、挿入部１７の基端部１７Ｂが配置される平坦な一面１６ａを有する。第１のストッパー部１６の一面１６ａの形状は、リング状とされている。
第１のストッパー部１６は、例えば、柱状部材１４の先端部１４Ａと一体に構成されてもよい。
第１のストッパー部１６の直径は、挿入部１７の基端部１７Ｂの後端面１７ｂの直径よりも大きくなるように構成されている。つまり、第１のストッパー部１６は、図３に示すＸ方向及びＹ方向を通過する仮想平面方向に対して、挿入部１７よりも幅広形状とされている。
【００３４】
オス端子３２の先端部３２Ａを拡径させる場合において、第１のストッパー部１６は、オス端子３２の先端３２ａと接触する部材である。
第１のストッパー部１６の一面１６ａの外径は、オス端子３２の先端部３２Ａの内径よりも大きくなるように構成されている。
このように、第１のストッパー部１６を設けることで、オス端子３２内に挿入された挿入部１７の長さを考慮することなく、オス端子３２の先端部３２Ａの拡径を行った場合でも、物理的に挿入部１７の挿入を止めることができる。
【００３５】
挿入部１７は、オス端子３２の先端部３２Ａ内へ挿入させることでオス端子３２の先端部３２Ａを拡径させる部分である。
挿入部１７は、柱状部材１４の延在方向であるＺ方向（所定の方向）に延在している。挿入部１７は、Ｚ向に対して垂直な面（言い換えれば、図３に示すＸ方向及びＹ方向を通過する仮想平面）で切断した際の断面形状が円であり、かつ先端に向かうにつれて円の直径が小さくなるように構成されている。
【００３６】
挿入部１７は、先端部１７Ａと、基端部１７Ｂと、ゲージ部１７Ｃと、を有する。
先端部１７Ａは、挿入部１７の先端部分を構成している。先端部１７Ａは、ゲージ部１７Ｃの先端面に設けられている。先端部１７Ａの形状は、例えば、円錐形状とすることができる。また、先端部１７Ａの形状は、オス端子３２の先端部３２Ａ内に挿入しやすい形状であればよく、例えば、半球形状であってもよい。先端部１７Ａの後端面は、ゲージ部１７Ｃの先端面と同じ直径とされている。
先端部１７Ａは、オス端子３２内に挿入部１７を挿入させた際、最も奥まで挿入される部分である。
【００３７】
基端部１７Ｂは、その後端面１７ｂが第１のストッパー部１６の一面１６ａと接触するように配置されている。基端部１７Ｂは、例えば、第１のストッパー部１６と一体に構成することができる。
基端部１７Ｂの形状は、例えば、その先端面の直径よりも後端面１７ｂの直径の方が大きくなるような円錐台形状にすることができる。
【００３８】
ゲージ部１７Ｃは、その先端面が先端部１７Ａの後端面と接続され、後端面が基端部１７Ｂの先端面と接続されている。つまり、ゲージ部１７Ｃは、先端部１７Ａと基端部１７Ｂとの間に配置されている。ゲージ部１７Ｃは、例えば、先端部１７Ａ及び基端部１７Ｂと一体的に構成することができる。
【００３９】
ゲージ部１７Ｃの形状は、例えば、円錐台形状にすることができる。ゲージ部１７Ｃの先端面の直径は、先端部１７Ａの後端面の直径と同じ大きさとされている。また、ゲージ部１７Ｃの後端面の直径は、後端部１７Ｂの直径と同じ大きさとされている。
【００４０】
Ｚ方向に対して直交する面（図３に示すＸ方向及びＹ方向を通過する仮想平面）で切断した際のゲージ部１７Ｃの円の直径（外径）の範囲は、オス端子３２の先端部３２Ａの内径の適正な範囲と一致するように構成されている。
【００４１】
これにより、後述するように、ゲージ部１７Ｃを、オス端子３２の先端部の形状が適正な形状になっているか否か（言い換えれば、オス端子３２の先端部３２Ａの内径が適正な範囲内であるか否か）を判定するための器具として機能させることができる。
【００４２】
ゲージ部１７Ｃは、オス端子３２の先端部３２Ａにほとんど力を加えることなく、オス端子３２の先端部３２Ａ内に第１の端子調整部１１を挿入させた際、オス端子３２の先端部の形状が適正な形状（適正な内径）になっているか否かを判定するための器具（以下、「ゲージ」という）として機能する部分である。
【００４３】
具体的には、以下の方法で、オス端子３２の先端部３２Ａの形状が適正な形状（適正な内径）になっているか否かを判断する。
例えば、オス端子３２の先端部３２Ａの内径がゲージ部１７Ｃの直径（外径）よりも小さい場合、ほとんど力を加えない状態では、ゲージ部１７Ｃにまでオス端子３２の先端孔３２Ｂ内に挿入することが困難となる。よって、この場合、オス端子３２の先端部３２Ａの形状が適正な形状（適正な内径）よりも小さく、オス端子３２の先端部３２Ａの形状が適正な形状になっていないと判断することができる。
【００４４】
また、オス端子３２の先端部３２Ａの内径がゲージ部１７Ｃの直径（外径）よりも大きい場合、ほとんど力を加えることなく、ゲージ部１７Ｃよりも奥の後端部１７Ｂにまでオス端子３２の先端孔３２Ｂ内に挿入されてしまう。よって、この場合、オス端子３２の先端部３２Ａの形状が適正な形状（適正な内径）よりも大きく、オス端子３２の先端部３２Ａの形状が適正な形状になっていないと判断することができる。
【００４５】
挿入部１７の基端部１７Ｂの後端面１７ｂの直径は、挿入部１７を構成するケージ部１７Ｃの直径よりも大きくなるように構成されている。この理由としては、オス端子３２が主に導体である金属で構成されているため、オス端子３２の先端部の拡径調整後、オス端子３２内から第１の端子調整部１１を外すと、オス端子３２の先端部３２Ａに若干の縮径が生じるためである。
【００４６】
図４は、適正な形状とされたオス端子３２の先端部３２Ａ内に、第１の端子調整部１１を構成する挿入部１７を挿入させた状態を模式的に示す図である。図４において、図１に示す第１の端子調整部１１、及び図２に示すプラグ３０と同一構成部分には、同一符号を付す。図４では、オス端子３２のみを断面図で示す。
図４において、Ｌはオス端子３２内に挿入された挿入部１７の長さ（以下、「長さＬ」という）、Ｈ１は挿入部１７を構成する先端部１７Ａの高さ（以下、「高さＨ１」という）、Ｈ２は挿入部１７を構成する先端部１７Ａの高さとゲージ部１７Ｃの高さとを合計した高さ（以下、「高さＨ２」という）をそれぞれ示している。
【００４７】
一方、図４に示すように、オス端子３２の先端部３２Ａ内に、第１の端子調整部１１を構成する挿入部１７を挿入させた状態において、オス端子３２の先端３２ａの位置がゲージ部１７Ｃの範囲にある場合、言い換えれば、挿入部１７のうち、オス端子３２に挿入された部分の長さＬの値が、先端部１７Ａの高さＨ１の値以上で、かつ先端部１７Ａ及びゲージ部１７Ｃの高さを合計した高さＨ２以下の場合には、オス端子３２の先端部３２Ａの形状が適正な形状になっていると判断することができる。
【００４８】
つまり、先端部１７Ａにほとんど力を加えない状態で、オス端子３２の先端部３２Ａがゲージ部１７Ｃに配置される場合、オス端子３２の先端部３２Ａの形状が適正な形状（適正な内径）になっていると判断することができる。
【００４９】
上記構成とされた第１の端子調整部１１の材料は、特に限定されるものではないが、オス端子３２が導体である金属で構成されていることを考慮すると、例えば、該オス端子３２を構成する金属と同等以上の硬度を有する金属を用いることが好ましい。
このような金属としては、例えば、ステンレスや真鍮等を用いることができる。
【００５０】
本実施の形態の第１の端子調整部によれば、Ｚ方向に延在し、Ｚ方向に対して垂直な面で切断した際の断面形状が円であり、かつ先端に向かうにつれて円の直径が小さくなるように構成され、オス端子３２の先端部３２Ａ内へ挿入させることでオス端子３２の先端部３２Ａを拡径させる挿入部１７と、挿入部１７よりも幅広形状とされ、オス端子３２内に挿入部１７が所定の長さ挿入されたときに、オス端子３２の先端３２ａと接触する第１のストッパー部１６と、を有することで、挿入部１７の先端部１７Ａとプラグ本体３１とが接触することなく、容易、かつ短時間でオス端子３２の先端部３２Ａの形状の調整（この場合、先端部３２Ａの内径を拡径することによる調整）を行うことができる。
【００５１】
また、Ｚ方向に対して直交する面（図３に示すＸ方向及びＹ方向を通過する仮想平面）で切断した際のゲージ部１７Ｃの円の直径（外径）の範囲が、オス端子３２の先端部３２Ａの内径の適正な範囲と一致するように構成することで、ゲージ部１７Ｃを用いて、オス端子３２の先端部３２Ａの形状が適正な形状になっているか否かの判定を行うことができる。
【００５２】
図５は、図１に示す第２の端子調整部の上面図である。図６は、図５に示す第２の端子調整部のＡ−Ａ線方向の断面図である。図５及び図６において、図１に示す第２の端子調整部１２と同一構成部分には、同一符号を付す。
【００５３】
次に、図１、図２、図５、及び図６を参照して、第２の端子調整部１２について説明する。
第２の端子調整部１２（例えば、ダイス）は、凹部形成用柱状部材２１と、凹部２３と、貫通孔２４と、第２のストッパー部２５と、を有する。
凹部形成用柱状部材２１は、Ｚ方向（所定の方向）に延在する円柱形状の部材である。凹部形成用柱状部材２１は、図２に示すオス端子３２の挿入口２３ａが配置される先端部２１と、打撃に対する耐性を有する後端部２１Ｂと、を有する。
【００５４】
後端部２１Ｂは、打撃に対する耐性を有する構成とされている。後端部２１Ｂを構成する後端面（ハンマー等の道具で打撃される面）は、例えば、平坦な面にすることができる。
なお、後端部２１Ｂは、面取りされた形状（角部をラウンドさせた形状）としてもよい。このような形状とすることで、後端部２１Ｂの縁にハンマー等の道具が当たった際、後端部２１Ｂの縁が欠けること（破損すること）を抑制できる。
【００５５】
凹部形成用柱状部材２１は、凹部２３が配置され、先端部２１Ａを構成要素に含む第１の部分２１−１と、貫通孔２４が配置され、後端部２１Ｂを構成要素に含む第２の部分２１−２と、を有する。第１及び第２の部分２１−１，２１−２は、Ｚ方向において、一体に構成されている。
【００５６】
凹部形成用柱状部材２１は、凹部２３内にオス端子３２の先端部３２Ａを挿入させた状態で、後端部２１Ｂをハンマー等の道具を用いて打撃する際、もう片方の手（打撃する道具を持っていない方の手）で保持される部材である。
凹部形成用柱状部材２１の形状は、例えば、円柱形状とすることができるが、これに限定されない。凹部形成用柱状部材２１の形状は、例えば、手で支えやすいように角柱形状にしてもよい。また、凹部形成用柱状部材２１の表面に、滑り止めの加工をしてもよい。
【００５７】
なお、オス端子３２の先端部３２Ａの形状の調整後に、オス端子３２から第２の端子調整部１２を引き抜きやすくするために、Ｘ方向に対して細い棒（図示せず）を差し込むことの可能な貫通穴（図示せず）を、凹部形成用柱状部材２１の第２の部分２１−２に設けてもよい。
【００５８】
凹部２３は、凹部形成用柱状部材２１の第１の部分２１−１に設けられている。凹部２３は、オス端子３２の先端部３２Ａが挿入されることでオス端子３２の先端部３２Ａを縮径させて、オス端子３２の先端部３２Ａの形状を調整するための部分である。
凹部２３は、凹部形成用柱状部材２１の延在方向であるＺ方向（所定の方向）において、凹部形成用柱状部材２１の先端側から後端側に延在するように配置されている。凹部２３は、Ｚ方向に対して垂直な面（図５に示すＸ方向及びＹ方向）で切断した際の断面形状が円形（円）とされている。
【００５９】
凹部２３は、端子ガイド部２３Ａと、端子縮径部２３Ｂと、ゲージ部２３Ｃと、を有する。
端子ガイド部２３Ａは、凹部形成用柱状部材２１の先端部２１Ａに設けられている。端子ガイド部２３Ａは、オス端子３２の先端部３２Ａが挿入される挿入口２３ａを含んだ構成とされている。
【００６０】
貫通孔２４は、凹部形成用柱状部材２１の後端から端子縮径部２３Ｂに到達するように、凹部形成用柱状部材２１の第２の部分２１−２を貫通するように配置されている。
貫通孔２４の直径は、第２のストッパー部２５の一面２５ａの直径よりも小さくなるように構成されている。
貫通孔２４は、オス端子３２の先端部３２Ａの外径の調整の際、オス端子３２の位置を視認するために使用する。また、他の方法でオス端子３２の位置を視認できるのであれば、貫通孔２４はなくてもよい。
【００６１】
端子ガイド部２３Ａは、例えば、凹部形成用柱状部材２１の先端から第２のストッパー部２５側（言い換えれば、凹部形成用柱状部材２１の後端）に向かうにつれて、直径が小さくなる円錐台形状とすることができる。
挿入口２３ａの反対側に位置する端子ガイド部２３Ａの端の直径は、ゲージ部２３Ｃの一方の端の直径と同じ大きさとされている。
【００６２】
このような形状とされた端子ガイド部２３Ａを有することで、適正な外径よりも拡径したオス端子３２の先端部３２Ａを、端子ガイド部２３Ａと端子縮径部２３Ｂとの間に配置され、かつ挿入口２３ａの直径よりも小さい直径とされたゲージ部２３Ｃにオス端子３２の先端部３２Ａを容易に導くことができる。
【００６３】
端子縮径部２３Ｂは、ゲージ部２３Ｃと貫通孔２４との間に位置する第１の部分２１−１に設けられており、オス端子３２の先端部３２Ａの形状が適正な形状となるように、先端部３２Ａを縮径するための部分である。端子縮径部２３Ｂは、第２のストッパー部２５の一面２５ａを露出している。
端子縮径部２３Ｂの形状は、例えば、凹部形成用柱状部材２１の先端から凹部形成用柱状部材２１の後端に向かうにつれて、直径が小さくなる円錐台形状にすることができる。この場合、凹部形成用柱状部材２１の先端側に位置する端子縮径部２３Ｂの端の直径は、ゲージ部２３Ｃの他方の端の直径と同じ大きさとされている。
【００６４】
ゲージ部２３Ｃは、端子ガイド部２３Ａと端子縮径部２３Ｂとの間に配置されており、端子ガイド部２３Ａ及び端子縮径部２３Ｂと一体とされている。
ゲージ部２３Ｃの形状は、例えば、凹部形成用柱状部材２１の先端から凹部形成用柱状部材２１の後端に向かうにつれて、直径が小さくなる円錐台形状にすることができる。ゲージ部２３Ｃの直径は、オス端子３２の先端部３２Ａの外径の適正な値と一致するように構成されている。
これにより、後述するように、ゲージ部２３Ｃを、オス端子３２の先端部３２Ａの形状が適正な形状になっているか否かを判定するための器具（以下、「ゲージ」という）として機能させることができる。
【００６５】
ゲージ部２３Ｃは、オス端子３２の先端部３２Ａにほとんど力を加えることなく、凹部２３内にオス端子３２の先端部３２Ａを挿入させた際、オス端子３２の先端部３２Ａの形状が適正な形状（言い換えれば、適正な外径）になっているか否かを判定するための器具として機能する部分である。
【００６６】
具体的には、以下の方法で、オス端子３２の先端部３２Ａの形状が適正な形状（具体的には、適正な外径）になっているか否かを判断する。
例えば、オス端子３２の先端部３２Ａの外径がゲージ部２３Ｃの直径（内径）よりも小さい場合、先端部３２Ａにほとんど力を加えることなく、先端部３２Ａがゲージ部２３Ｃよりも奥の端子縮径部２３Ｂにまで挿入されてしまう。よって、この場合、オス端子３２の先端部３２Ａの形状が適正な形状（適正な外径）よりも小さく、オス端子３２の先端部３２Ａの形状が適正な形状になっていないと判断することができる。
【００６７】
また、オス端子３２の先端部３２Ａの外径がゲージ部２３Ｃの直径（内径）よりも大きい場合、先端部３２Ａにほとんど力を加えない状態では、オス端子３２の先端部３２Ａをゲージ部２３Ｃに挿入することが困難となる。よって、この場合、オス端子３２の先端部３２Ａの形状が適正な形状（適正な外径）よりも大きく、オス端子３２の先端部３２Ａの形状が適正な形状になっていないと判断することができる。
【００６８】
図７は、適正な形状とされたオス端子の先端部を、第２の端子調整部を構成する凹部内に挿入させた状態を模式的に示す図である。
図７において、図４及び図６に示す構造体と同一構成部分には、同一符号を付す。図７では、オス端子３２及び第２の端子調整部１２を断面図で示す。また、図７では、図６に示す第２の端子調整部１２を上下反転させた状態で図示する。
図７において、Ｍは、凹部２３内に挿入されたオス端子３２の長さ（以下、「長さＭ」という）を示している。
【００６９】
一方、図７に示すように、オス端子３２の先端部３２Ａの外径がゲージ部２３Ｃの直径と等しい場合、先端部３２Ａにほとんど力を加えない状態で、オス端子３２の先端部３２Ａをゲージ部２３Ｃにまで挿入することが可能で、かつゲージ部２３Ｃよりも直径の小さい端子縮径部２３Ｂにオス端子３２の先端部３２Ａを挿入することが困難となる。
よって、この場合、オス端子３２の先端部３２Ａの形状が適正な形状（適正な外径）になっていると判断することができる。
【００７０】
つまり、先端部３２Ａにほとんど力を加えない状態で、オス端子３２の先端部３２ａがゲージ部２３Ｃに配置される場合、オス端子３２の先端部３２Ａの形状が適正な形状（適正な外径）になっていると判断することができる。
【００７１】
オス端子３２の先端部３２Ａを縮径させる場合において、第２のストッパー部２５は、オス端子３２の先端３２ａと接触する部位である。
第２のストッパー部２５は、端子縮径部２３Ｂと貫通孔２４とで区画された凹部形成用柱状部材２１で構成されている。第２のストッパー部２５は、凹部２３に所定の長さのオス端子３２が挿入された際、オス端子３２の先端３２ａと当接される一面２５ａを有する。第２のストッパー部２５の一面２５ａの形状は、リング状とされている。第２のストッパー部２５の一面２５ａは、端子縮径部２３Ｂに露出されている。
第２のストッパー部２５の一面２５ａの直径（内径）は、オス端子３２の先端部３２Ａの外径よりも大きいように構成されている。
このように、第２のストッパー部２５を設けることで、長さＭを考慮することなく、オス端子３２の先端部３２Ａの縮径を行った場合でも、物理的にオス端子３２の挿入を止めることができる。
【００７２】
なお、凹部２３の深さの値とオス端子３２の長さの値が等しい場合、凹部形成用柱状部材２１の先端２１ａがプラグ本体３１の一面３１ａと当接することで、第２のストッパー部２５ではなく、凹部形成用柱状部材２１の先端２１ａをストッパーとして機能させてもよい。
【００７３】
端子縮径部２３Ｂの直径は、ゲージ部２３Ｃの直径よりも小さくなるように構成されている。
このように、端子縮径部２３Ｂの直径を、ゲージ部２３Ｃの直径よりも小さくすることで、導体である金属で構成されたオス端子３２の先端部３２Ａの縮径後、第２の端子調整部１２内からオス端子３２を外すと、オス端子３２の先端部３２Ａに若干の拡径が生じるためである。
【００７４】
上記構成とされた凹部形成用柱状部材２１の材料は、特に限定されるものではないが、オス端子３２が導体である金属で構成されていることを考慮すると、例えば、該オス端子３２を構成する金属と同等以上の硬度を有する金属を用いることが好ましい。
このような金属としては、例えば、ステンレスや真鍮等を用いることができる。
【００７５】
本実施の形態の第２の端子調整部によれば、Ｚ方向に延在する凹部形成用柱状部材２１と、Ｚ方向において凹部形成用柱状部材２１の先端側から後端側に延在するように配置され、Ｚ方向に対して垂直な面で切断した際の断面形状が円であり、オス端子３２の先端部３２Ａの適正な形状に対応する凹部２３と、凹部形成用柱状部材２１のうち、凹部２３の底面に配置され、凹部３２内にオス端子３２が所定の長さ挿入されたときに、オス端子３２の先端３２ａと接触する第２のストッパー部２５と、を有することで、容易、かつ短時間でオス端子３２の先端部３２Ａの形状の調整（この場合、先端部３２Ａの外径を縮径することによる調整）を行うことができる。
【００７６】
また、ゲージ部２３Ｃの直径が、オス端子３２の先端部３２Ａの外径の適正な値と一致するように構成することで、オス端子３２の先端部３２Ａの形状が適正な形状（言い換えれば、オス端子３２の先端部３２Ａの外径が適正な値）になっているか否かの判定を行うことができる。
【００７７】
本実施の形態の端子形状調整用冶具によれば、上記説明したオス端子３２の先端部３２Ａを拡径させる第１の端子調整部１１と、上記説明したオス端子３２の先端部３２Ａの外径を縮径させる第２の端子調整部１２と、を有することで、オス端子３２の先端部の形状が適正な形状から外れた際（具体的には、先端部３２Ａの径が適正な径よりも大きくなった場合や適正な径よりも小さくなった場合）に、熟練度や技術レベルに依存することなく、容易、かつ短時間でオス端子３２の先端部３２Ａの形状が適正な形状となるように調整を行うことができる。
【００７８】
図８は、本実施の形態の変形例に係る端子形状調整用冶具の概略構成を示す断面図である。図８において、図１及び図６に示す構造体と同一構成部分には、同一符号を付す。
【００７９】
図８を参照するに、本実施の形態の変形例に係る端子形状調整用冶具４０は、本実施の形態の端子形状調整用冶具１０の構成に、さらに装着用部材４１を有すること以外は、端子形状調整用冶具１０と同様に構成される。
装着用部材４１は、着脱可能な状態で第１の端子調整部１１が装着される装着用凹部４２と、凹部２３に挿入される凸部４３と、押さえ部４５と、を有する。装着用凹部４２及び凸部４３は、Ｚ方向に配置されている。
押さえ部４５は、凸部４３に対して凹部形成用柱状部材２１の先端を押さえこむための部材である。第２の端子調整部１２は、装着用凹部４２及び押さえ部４５により挟持されている。
上記装着用部材４１の材料としては、端子形状調整用冶具１０を損傷させない材料が好ましく、例えば、樹脂を用いることができる。
【００８０】
本実施の形態の変形例に係る端子形状調整用冶具によれば、着脱可能な状態で第１の端子調整部１１が装着される装着用凹部４２、凹部２３に挿入される凸部４３、及び凸部４３に対して凹部形成用柱状部材２１の先端を押さえこむ押さえ部４５を含む装着用部材４１を有することで、挿入部１７を保護できると共に、第１及び第２の端子調整部１１，１２の紛失を抑制することができる。
なお、上記構成とされた本実施の形態の変形例に係る端子形状調整用冶具４０は、本実施の形態の端子形状調整用冶具１０と同様な効果を得ることができる。
【００８１】
次に、図１〜７を参照して、本実施の形態の端子形状調整用冶具１０の使用方法について説明する。
始めに、先に説明した手法により、第１及び第２の端子調整部１１，１２のゲージ部１７Ｃ，２３Ｃを用いて、プラグ３０を構成するオス端子３２の先端部３２Ａの形状が適正な形状であるかのチェックを行う。
このチェックにより、オス端子３２の先端部３２Ａの径が適正な径ではないと判断された際、第１及び第２の端子調整部１１，１２を用いて、オス端子３２の先端部３２Ａの形状が適正な形状となるように、先端部３２Ａの形状の調整を行う。
【００８２】
具体的には、オス端子３２の先端部３２Ａを拡径する場合には、第１の端子調整部１１の挿入部１７をオス端子３２の先端孔３２Ｂ内に挿入し、柱状部材１４の後端部１４Ｂをハンマー等で打撃し、予め決められた位置まで挿入部１７を挿入する。
【００８３】
この場合、予め決められた位置に第１のストッパー部１６が設けられていることで、第１の端子調整部１１の挿入長を考慮せずに打撃を続けたとしても、第１のストッパー部１６で挿入がストップされ、第１のストッパー部１６及び柱状部材１４がオス端子３２内に挿入されることを防止できる。
その後、オス端子３２内から第１の端子調整部１１を取り外すことで、オス端子３２の先端部３２Ａの形状の調整が終了となる。
【００８４】
一方、オス端子３２の先端部３２Ａを縮径する場合には、第２の端子調整部１２の凹部２３内にオス端子３２の先端部３２Ａを挿入し、凹部形成用柱状部材２１の後端部２１Ｂをハンマー等で打撃し、予め決められた位置までオス端子３２を挿入させる。
この場合、第２のストッパー部２５により、凹部２３内に必要以上にオス端子３２が挿入されることを防止できる。
その後、オス端子３２から第２の端子調整部１２を取り外すことで、オス端子３２の先端部３２Ａの形状の調整が終了となる。
【００８５】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【産業上の利用可能性】
【００８６】
本発明は、大電流用の電源プラグのオス端子の先端部の形状を調整する際に使用する端子形状調整用冶具に適用できる。
【符号の説明】
【００８７】
１０，４０…端子形状調整用冶具、１１…第１の端子調整部、１２…第２の端子調整部、１４…柱状部材、１４ａ…先端面、１４Ａ，１７Ａ，２１Ａ，３２Ａ…先端部、１４ｂ…後端面、１４Ｂ，１７Ｂ，２１Ｂ…後端部、１６…第１のストッパー部、１６ａ，２５ａ，３１ａ…一面、１７…挿入部、１７ｂ…端面、１７Ｃ，２３Ｃ…ゲージ部、２１…凹部形成用柱状部材、２１ａ…先端、２１−１…第１の部分、２１−２…第２の部分、２３…凹部、２３ａ…挿入口、２３Ａ…端子ガイド部、２３Ｂ…端子縮径部、２４…貫通孔、２５…第２のストッパー部、３０…プラグ、３１…プラグ本体、３２…オス端子、３２ａ…先端、３２Ｂ…先端孔、３４…スリット、４１…装着用部材、４２…装着用凹部、４３…凸部、４５…押さえ部、Ｌ，Ｍ…長さ、Ｈ１，Ｈ２…高さ
【図１】
2015215234.tif 000003
【図２】
2015215234.tif 000004
【図３】
2015215234.tif 000005
【図４】
2015215234.tif 000006
【図５】
2015215234.tif 000007
【図６】
2015215234.tif 000008
【図７】
2015215234.tif 000009
【図８】
2015215234.tif 000010
【図９】
2015215234.tif 000011
【図１０】
2015215234.tif 000012